(57)【特許請求の範囲】
【請求項１】
固有の認証情報が予め記憶された無線タグと、
タグ検出範囲内の前記無線タグを検出して前記認証情報を読み取り、この読み取った前記認証情報に基づいて認証を行うリーダと、を具備し、
人物により前記リーダに対してなされた所定のファンクション操作に応じて、所定のファンクション処理を行う入退室管理システムであって、
少なくとも前記認証の結果及び前記ファンクション処理の履歴を記憶する履歴記憶手段と、
人感センサ検出範囲内の前記人物を検出する人感センサと、を備え、
前記リーダは、前記無線タグを検出する前に前記人感センサが前記人物を検出した場合、前記人物を検出してから所定の一定時間の間、前記無線タグの前記認証情報の読み取りを行わないことを特徴とする入退室管理システム。
【請求項２】
前記リーダは、前記無線タグの検出と前記人感センサによる前記人物の検出が同時であった場合に、前記人物の検出を優先して前記人物を検出してから前記所定の一定時間の間、前記無線タグの前記認証情報の読み取りを行わないことを特徴とする請求項１に記載の入退室管理システム。
【請求項３】
前記人感センサ検出範囲は、前記リーダに対して前記人物が接近してくる側において前記タグ検出範囲より検出距離が長いことを特徴とする請求項１又は請求項２のいずれかに記載の入退室管理システム。
【請求項４】
前記リーダは、前記ファンクション操作が行われた場合には、前記人感センサが前記人物を検出してから前記所定の一定時間の間であっても前記無線タグの前記認証情報の読み取りを行うことを特徴とする請求項１から請求項３のいずれかに記載の入退室管理システム。
【請求項５】
前記リーダは、当該入退室管理システムが次に前記ファンクション操作が行われることが明確である状態である場合のみ、前記人感センサが前記人物を検出してから所定の一定時間の間、前記無線タグの前記認証情報の読み取りを行わないことを特徴とする請求項１から請求項４のいずれかに記載の入退室管理システム。
【請求項６】
固有の認証情報が予め記憶された無線タグと、
タグ検出範囲内の前記無線タグを検出して前記認証情報を読み取り、この読み取った前記認証情報に基づいて認証を行うリーダと、を具備し、
人物により前記リーダに対してなされた所定のファンクション操作に応じて、所定のファンクション処理を行う入退室管理システムであって、
少なくとも前記認証の結果及び前記ファンクション処理の履歴を記憶する履歴記憶手段を備え、
前記履歴記憶手段は、前記リーダが前記タグ検出範囲内の前記無線タグを検出してから所定の一定時間の間、前記認証の結果の履歴の記憶を行わないことを特徴とする入退室管理システム。
【請求項７】
前記履歴記憶手段は、前記ファンクション操作が行われた場合には、前記リーダが前記タグ検出範囲内の前記無線タグを検出してから前記所定の一定時間の間であっても前記認証の結果の履歴の記憶を行うことを特徴とする請求項６に記載の入退室管理システム。
【発明の詳細な説明】
【技術分野】
【０００１】
この発明は、入退室管理システムに関するものである。
【背景技術】
【０００２】
従来における入退室管理システムにおいては、各タグに固有のＩＤを有するＩＣタグによる認証により、このＩＣタグ所持者の入退室を管理するものがある。そして、この入退室システムに、ファンクション機能を備えたものが知られている。ファンクション機能とは、タグのリーダに設けられたボタンやスイッチ等を操作（ファンクション操作）することにより、このリーダ端末から入退室管理システムの有する特定の機能（ファンクション）を利用することができるものである。
【０００３】
このファンクション機能として利用することができる入退室管理システムの機能としては、例えば、入退室管理を実施している部屋において、この部屋の最終退室者が、当該入退室管理システムのセキュリティシステムを警備モードに移行させる機能が挙げられる。そして、また逆に、当該ファンクション機能を用いて、当該部屋の最初の入室者が、現在警備モードであるセキュリティシステムに対して警備モードを解除する。
【０００４】
また、他の例として、ＩＣタグを用いて出退勤を管理するシステムにおいて、ＩＣタグの所持者がリーダ端末に設けられた出勤ボタン及び退勤ボタンのいずれかを操作してからＩＣタグによる認証を行うことにより、当該所持者の出退勤を記録する機能も挙げられる。さらに、タグ所持者の出張や外出時に、ファンクション操作とＩＣタグによる認証を用いて、システムに当該所持者の在／不在の状態を通知して、それらを履歴として記録する機能も、例として挙げられる。
【０００５】
このファンクション機能を利用する際のファンクション操作においては、ファンクション操作を正規のタグ所持者からしか受け付けないようにするため、当該ファンクション操作の後に、必ずＩＣタグによる認証が行われる。この認証に成功した場合には、操作に対応するファンクション機能の利用・実行が許可される。一方、認証に失敗した場合には、当該ファンクション操作は破棄され、ファンクション機能を利用・実行することはできない。
【０００６】
なお、ファンクション操作の内容は、当該入退室管理システムが備える記憶部において履歴に記録される。例えば、ファンクション操作による警備モードの設定及び解除においては、警備モードを設定するファンクション操作が行われた際には、当該操作が行われた日時及び当該操作を行ったＩＤが履歴に記録される。また、警備モードを解除するファンクション操作が行われた際にも、同様に、当該操作が行われた日時及び当該操作を行ったＩＤが履歴に記録される、という具合である。
【０００７】
図５は、このような、ファンクション機能付き入退室管理システムの動作の典型例を示すものである。
まず、ステップＳ２１において、ＩＣタグのリーダは、ファンクション操作がなされていないか否かについて確認する。このステップＳ２１において、ファンクション操作がなされたことが確認された場合には、ステップＳ２２へと移る。このステップＳ１２においては、ステップＳ２１において確認したファンクション操作の内容に対応する所定のファンクション処理を行う。そして、この後は、ステップＳ２３へと進む。
【０００８】
一方、ステップＳ２１において、ファンクション操作がなされていないことが確認された場合には、ステップＳ２２を経ずに、直接ステップＳ２３へと進む。このステップＳ２３においては、リーダは、ＩＣタグから送信される認証情報の読み取りを行う。続くステップＳ２４においては、リーダ、先のステップＳ２３で読み出したＩＣタグの認証情報に基づいて認証を行う。そして、この認証の結果が成功（ＯＫ）であるか失敗（ＮＧ）であるかの判定を行う。
【０００９】
このステップＳ２４の判定の結果、認証ＯＫであった場合にはステップＳ２５へと進む。このステップＳ２５においては、リーダは、扉の電気錠へと解錠許可信号を出力する。この解錠許可信号を受けた電気錠は解錠され、扉を開くことが可能となる。そして、ステップＳ２６へと進む。一方、ステップＳ２４の判定の結果、認証ＮＧであった場合には、ステップＳ２５を飛ばしてステップＳ２６へと進む。ステップＳ２６においては、リーダは、先のステップＳ２２におけるファンクション処理、ステップＳ２４における認証結果やステップＳ２５における電気錠に対する信号出力等の履歴データを蓄積する。そして、ステップＳ２７へと至り一連の動作フローは終了する。
【００１０】
また、従来における入退室管理システムにおいては、１０ｃｍ〜２ｍ程度の長距離読み取り性能を有するループコイルアンテナを備えたものが知られている（例えば、特許文献１参照）。これは、入室者及び退室者の双方が所持する非接触ＩＣカードやＲＦＩＤタグ等の非接触式データキャリアから、同一のループコイルアンテナを用いてデータを読み出すことにより認証を行うものである。そして、入室者又は退室者の通過を検出するマットスイッチを設けることにより、出入口に近づいた個人が入室の途上であるのか退室の途上であるのかを判定した上で、認証を行う。また、これと同様に、タグの読み取り範囲が、リーダを中心とした半径２ｍ程度の比較的広い範囲に亘る入退室管理システムとしては、長距離無線ＩＣタグ（スマートタグ）を用いたものも従来において知られている。
【先行技術文献】
【特許文献】
【００１１】
【特許文献１】特開２００３−２１３９９８号公報
【発明の概要】
【発明が解決しようとする課題】
【００１２】
このように、従来における入退室管理システムには、ループコイルアンテナやスマートタグを用いることにより、２ｍ程度の長距離読み取り性能を有するものがある。このような、長距離読み取り性能を有する入退室管理システムにおいて、前述したファンクション機能を備えた場合、このファンクション機能を利用しようとするタグの所持者は、タグのリーダにおいて所定のファンクション操作を行うため、リーダに接近する必要がある。
【００１３】
しかしながら、タグ所持者がリーダに接近すると、タグ所持者がファンクション操作を行う前に、このタグ所持者が所持するタグの読み取りが行われてしまう。このため、本来履歴として残したいファンクション操作の履歴のみならず、その前にタグ所持者がリーダに接近した際のタグ読み取りによる不要な履歴が意図せずに記録されてしまうという課題がある。そして、このことに起因して、記憶された履歴と実際の入退室状態との不整合が発生してしまうという課題や、履歴の記憶部の記憶容量が圧迫されてしまい、履歴記憶領域を有効に活用することができないという課題もある。
【００１４】
なお、特許文献１に記載された従来の入退室管理システムは、マットスイッチ（入退室方向検知センサ）において一定時間以上人の検出がされなかった場合には、タグからのデータ読み出しを一時的に停止する。しかし、このマットスイッチは、入退室しようとする人の入退方向を検出するものであるから、当然タグリーダに接近する人がこのマットスイッチ上を通過するようにして配置される。従って、この特許文献１に記載された従来の入退室管理システムにおいても、前述同様の課題があると言える。
【００１５】
この発明は、このような課題を解決するためになされたもので、ファンクション操作時において不要な履歴が意図せず記録されてしまうことを未然に防止することができ、履歴記憶領域を有効に活用することが可能である入退室管理システムを得るものである。
【課題を解決するための手段】
【００１６】
この発明に係る入退室管理システムにおいては、固有の認証情報が予め記憶された無線タグと、タグ検出範囲内の前記無線タグを検出して前記認証情報を読み取り、この読み取った前記認証情報に基づいて認証を行うリーダと、を具備し、人物により前記リーダに対してなされた所定のファンクション操作に応じて、所定のファンクション処理を行う入退室管理システムであって、少なくとも前記認証の結果及び前記ファンクション処理の履歴を記憶する履歴記憶手段と、人感センサ検出範囲内の前記人物を検出する人感センサと、を備え、前記リーダは、前記無線タグを検出する前に前記人感センサが前記人物を検出した場合、前記人物を検出してから所定の一定時間の間、前記無線タグの前記認証情報の読み取りを行わない構成とする。
【発明の効果】
【００１７】
この発明に係る入退室管理システムにおいては、ファンクション操作時において不要な履歴が意図せず記録されてしまうことを未然に防止することができ、履歴記憶領域を有効に活用することが可能であるという効果を奏する。
【図面の簡単な説明】
【００１８】
【図１】この発明の実施の形態１に係る入退室管理システムのタグ検出範囲及び人感センサ検出範囲を模式的に説明する図である。
【図２】この発明の実施の形態１に係る入退室管理システムの全体構成を示すブロック図である。
【図３】この発明の実施の形態１に係る入退室管理システムの動作の流れを示すフロー図である。
【図４】この発明の実施の形態２に係る入退室管理システムの動作の流れを示すフロー図である。
【図５】従来における入退室管理システムの動作の流れを示すフロー図である。
【発明を実施するための形態】
【００１９】
この発明を添付の図面に従い説明する。各図を通じて同符号は同一部分又は相当部分を示しており、その重複説明は適宜に簡略化又は省略する。
【００２０】
実施の形態１．
図１から図３は、この発明の実施の形態１に係るものである。図１において、１は、当該入退室システムが設置された施設内において仕切られて入退室制限が課された区画の１つである。この区画１には、人物２がこの区画１内に出入りするための出入口が設けられている。この出入口は扉３により開閉される。そして、この扉３は図示しない電気錠により施解錠可能である。
【００２１】
この扉３を通過して区画１に対して入（退）室しようとする人物２は、スマートタグ４を携行している。このスマートタグ４は、通常の無線ＩＣタグと比較して長い読み取り可能距離を有する長距離無線ＩＣタグである。このスマートタグ４には、各タグに固有のＩＤが認証情報として予め記憶されている。そして、この扉３又はこの扉３の近傍の壁面には、スマートタグ４に記憶された認証情報を読み取って認証するためのリーダ５が設置されている。リーダ５によりスマートタグ４に記憶された情報を読み取ることができる範囲は、例えば、リーダ５を中心とした半径約２ｍ程度である。この範囲は、図１においてタグ検出範囲６として示されている。
【００２２】
また、リーダ５は、このリーダ５に接近する人物２を検出するための人感センサを備えている。この人感センサは、例えば、赤外線センサや秤装置等を利用している。人感センサにより人物２を検出できる範囲は、リーダ５の前面側に略台形状、略三角形状又は略扇形状に広がっている。この範囲は、図１において人感センサ検出範囲７として示されている。図１からもわかるように、人感センサ検出範囲７は、リーダ５の前面側（すなわち、リーダ５に対してファンクション操作を行おうとする人物２が接近してくる側）においてタグ検出範囲６と同等又はタグ検出範囲６より広い（検出距離が長い）範囲となるように設定されている。従って、ファンクション操作をするためにリーダ５へと接近する人物２（ファンクション操作者）は、まず、人感センサ検出範囲７内に入り、その後にタグ検出範囲６内へと入ることになる。
【００２３】
換言すると、ファンクション操作をしようとする人物２（ファンクション操作者）が、リーダ５へと接近すると、まず、人感センサ検出範囲７に入ることで、リーダ５の備える人感センサによりこの人物２が検出される。そして、人感センサにより人物２が検出された後に、この人物２がタグ検出範囲６に入ることで、リーダ５によりこの人物２が携行するスマートタグ４の有する情報を読み取ることができるようになる。すなわち、まず、人物２が検出され、次に、スマートタグ４が検出されるという検出順序である。
【００２４】
図２は、入退室管理システムの全体構成を示すブロック図である。
リーダ５は、人感センサ８、受信部９、タグ情報記憶部１０、認証部１１、電気錠制御部１２、ファンクション操作部１３、ファンクション処理部１４及び履歴記憶部１５を備えている。なお、これらの全てをリーダ５に設ける必要はない。すなわち、少なくとも、人感センサ８、受信部９及びファンクション操作部１３はリーダ５に備えることが好ましいものの、他の構成要素については、別の箇所に設けるようにしてもよい。例としては、タグ情報記憶部１０や履歴記憶部１５等をリーダ５と通信可能に接続されたパーソナルコンピュータ等に設けるようにすることもできる。
【００２５】
人感センサ８は、人感センサ検出範囲７内に入った人物２を検出するものである。人物２を検出した人感センサ８は、人物検出信号を受信部９へと出力する。受信部９は、スマートタグ４から送信される認証情報を受信する（読み取る）ものである。このスマートタグ４の認証情報の読み取りは、人感センサ８により人物２が検出され人物検出信号が出力されているときのみ行われる。スマートタグ４の有する認証情報を読み取った受信部９は、この読み取った認証情報を認証部１１へと出力する。
【００２６】
また、人感センサ８からの人物検出信号を受けた受信部９は、この人物検出信号を受けてから所定の一定時間であるファンクション操作優先時間が経過するまでの間は、スマートタグ４から送信される認証情報の読み取りを行わない。そして、人物検出信号を受けてからファンクション操作優先時間が経過すると、受信部９は、スマートタグ４から送信される認証情報を読み取るようになる。このファンクション操作優先時間は、概ね数秒程度に設定する。
【００２７】
タグ情報記憶部１０には、扉３の解錠を許可するとして登録されたスマートタグ４の認証情報が予め記憶されている。認証部１１は、受信部９により読み取られたスマートタグ４の認証情報とタグ情報記憶部１０に記憶された登録タグの認証情報とを照合することにより認証を行うものである。この認証部１１による認証結果は、電気錠制御部１２、ファンクション処理部１４及び履歴記憶部１５へと出力される。
【００２８】
電気錠制御部１２は、扉３に設けられた電気錠の施解錠動作を制御するものである。この電気錠制御部１２は、認証部１１による認証結果に基づいて電気錠の施解錠動作を制御する。具体的に、例えば、認証部１１から認証成功の旨の信号を受信した電気錠制御部１２は、扉３の電気錠へと解錠許可信号を出力して解錠させる。そして、扉３が開閉されて一定時間が経過すると、扉３の電気錠を施錠させる。また、認証部１１から認証失敗の旨の信号を受信した電気錠制御部１２は、扉３の電気錠が施錠された状態を維持させる。この電気錠制御部１２による扉３の電気錠の施解錠動作の制御状況は、電気錠制御部１２から履歴記憶部１５へと出力される。
【００２９】
ファンクション操作部１３は、リーダ５に設けられた例えばボタンやスイッチ等からなる。このファンクション操作部１３は、人物２（ファンクション操作者）がファンクション操作を行うためのものである。このファンクション操作部１３に対してなされた操作に関する情報は、ファンクション処理部１４へと出力される。
【００３０】
ファンクション処理部１４は、ファンクション操作部１３に対して行われたファンクション操作に応じて、所定のファンクション処理を行うためのものである。このファンクション処理部１４は、ファンクション操作部１３から出力されたファンクション操作部１３に対してなされた操作に関する情報に基づいて、所定のファンクション処理を実行する。この際、このファンクション処理の実行には、前述のように、操作者が携行するスマートタグ４の認証情報に基づく認証が成功していることが必要である。従って、ファンクション処理部１４は、ファンクション操作部１３からの操作情報を受け取った場合に、認証部１１による認証結果を認証部１１から取得して、この認証結果が成功であった場合に、ファンクション処理を実行する。このファンクション処理部１４によるファンクション処理の実行状況は、ファンクション処理部１４から履歴記憶部１５へと出力される。
【００３１】
履歴記憶部１５は、スマートタグ４から読み取った情報に基づく認証、電気錠の施解錠動作の状況やファンクション操作の履歴を記憶するものである。具体的には、認証部１１から出力される認証結果、電気錠制御部１２から出力される電気錠の施解錠動作の制御状況、及び、ファンクション処理部１４から出力されるファンクション処理の実行状況が、履歴として記憶される。
【００３２】
この実施の形態にあっては、入退室管理システムは、図３に示す一連のフローに従って動作する。
まず、ステップＳ１において、リーダ５の受信部９は、人感センサ８が人物２を検知して人物検出信号を出力したか否かについて確認する。このステップＳ１において、人感センサ８から人物検出信号が出力されていないことが確認された場合には、ステップＳ９へと移行して一連の動作フローは終了する。
【００３３】
一方、ステップＳ１において、人感センサ８から人物検出信号が出力されていることが確認された場合には、受信部９は、この人物検出信号の出力開始を確認した時点からの経過時間を計測し始める。そして、ステップＳ２へと進み、リーダ５のファンクション処理部１４は、ファンクション操作部１３に対してファンクション操作がなされていないか否かについて確認する。このステップＳ２において、ファンクション操作部１３に対してファンクション操作がなされていないことが確認された場合には、ステップＳ３へと移る。
【００３４】
このステップＳ３においては、リーダ５の受信部９は、人感センサ８により人物２が検知され人物検出信号が出力されてから、所定の一定時間であるファンクション操作優先時間が経過したか否かについて確認を行う。この確認において、人物検知後ファンクション操作優先時間が経過していない場合には、ステップＳ２へと戻る。一方、このステップ３の確認において、ファンクション操作優先時間が経過したことが確認された場合には、ステップＳ５へと進む。そして、このステップＳ５においては、リーダ５の受信部９は、タグ検出範囲６内にあるスマートタグ４から送信される認証情報の読み取りを行う。
【００３５】
一方、ステップＳ２において、ファンクション操作部１３に対してファンクション操作がなされたことが確認された場合には、ステップＳ４へと移る。このステップＳ４においては、ファンクション処理部１４は、ステップＳ２において確認したファンクション操作部１３に対して行われた操作内容に対応する所定のファンクション処理を行う。そして、この後は、直接にステップＳ５へと進み、人物検知後ファンクション操作優先時間が経過したか否かに関わらず、リーダ５の受信部９は、タグ検出範囲６内にあるスマートタグ４から送信される認証情報の読み取りを行う。
【００３６】
ステップＳ５で、スマートタグ４から認証情報を読み出した後は、ステップＳ６へと移行する。このステップＳ６において、リーダ５の認証部１１は、先のステップＳ５で読み出したスマートタグ４の認証情報に基づいて認証を行う。この認証は、読み出したスマートタグ４の認証情報とタグ情報記憶部１０に記憶された登録タグの認証情報とを照合することにより行われる。そして、この認証の結果が成功（ＯＫ）であるか失敗（ＮＧ）であるかの判定を行う。このステップＳ６の判定の結果、認証ＯＫであった場合にはステップＳ７へと進む。このステップＳ７においては、リーダ５の電気錠制御部１２は、扉３の電気錠へと解錠許可信号を出力する。この解錠許可信号を受けた電気錠は解錠され、扉３を開くことが可能となる。
【００３７】
ステップＳ７の後は、ステップＳ８へと移る。このステップＳ８においては、リーダ５の履歴記憶部１５は、先のステップＳ４におけるファンクション処理、ステップＳ６において判定された認証結果（ＯＫ）、及び、ステップＳ７における電気錠の解錠動作について、履歴データを蓄積する。
【００３８】
一方、ステップＳ６における判定の結果、認証ＮＧであった場合にはステップＳ７を飛ばしてステップＳ８へと移行する。このステップＳ８においては、リーダ５の履歴記憶部１５により履歴データが蓄積される。この場合（認証ＮＧ）においては、先のステップＳ４におけるファンクション処理、及び、ステップＳ６において判定された認証結果（ＮＧ）について履歴データが蓄積される。
そして、ステップＳ８の後は、ステップＳ９へと進み、一連の動作フローは終了する。
【００３９】
以上のように構成された入退室管理システムは、タグ検出範囲６より広い（リーダ５に対して人物２が接近してくる側において検出距離が長い）検出範囲である人感センサ検出範囲７を有する人感センサ８によりリーダ５へと接近する人物２が検出されてから、ファンクション操作優先時間が経過するまでの間は、タグ検出範囲６内にスマートタグ４が入ってもこのスマートタグ４の情報の読み取りを行わないようにして、ファンクション操作の受け付けを優先するものである。
【００４０】
すなわち、この入退室管理システムにおいては、スマートタグ４の検出より先に人感センサ８が人感センサ検出範囲７内の人物２を検出した場合には、人物２検出後ファンクション操作優先時間が経過するまでスマートタグ４の情報の読み取りが行われない。そして、スマートタグ４の検出より先に人感センサ８が人物２を検出した後ファンクション操作優先時間が経過するか、又は、人感センサ８が人物２を検出する前にスマートタグ４がタグ検出範囲６内において検出された場合に、スマートタグ４の情報読み取りが行われる。
【００４１】
従って、ここでは、人感センサ検出範囲７を、タグ検出範囲６よりリーダ５に対して人物２が接近してくる側において検出距離が長い（又は同等の）範囲を持つものとしているが、これらの検出範囲の配置に関わらず、リーダ５において人物２とスマートタグ４のどちらが先に検出されたのか、という検出順序によりファンクション操作優先時間を設けるか否かの制御を行うようにしてもよい。なお、この場合、人物２とスマートタグ４が同時に検出された際には、人物２の検出を優先してファンクション操作優先時間を設けるようにすることが好ましい。
【００４２】
本願に係る入退室管理システムはこのように構成されているため、このファンクション操作優先時間内においては、ファンクション操作を行う前にスマートタグ４の読み取りが行われてしまうことを防ぐことができる。従って、ファンクション操作の前に人物２がリーダ５に接近した際のスマートタグ４の読み取りによる不要な履歴が意図せずに記録されてしまうことがない。また、このため、記憶された履歴と実際の入退室状態との不整合の発生を未然に防止することができるとともに、限られた履歴記憶領域を有効に活用することが可能である。
【００４３】
なお、当該入退室管理システム（セキュリティシステム）の動作モードが、次にファンクション操作が行われることが明確であるモードである場合のみ、人感センサ８による人物２検知後のファンクション操作優先時間を設定するようにしてもよい。この場合、次にファンクション操作が行われることが明確である動作モードでない場合には、ファンクション操作優先時間を設定しない。従って、スマートタグ４がタグ検出範囲６に入ると、タイムラグを生じることなく即座に読み取りを行うことができる。
【００４４】
ここで、先に述べた次にファンクション操作が行われることが明確である動作モードとは、換言すれば、ファンクション操作により動作モードを現在のモードから他のモードへと切り換えない限り、スマートタグ４による認証やこの認証に基づく扉３の電気錠の解錠等を行わない動作モードである。このような動作モードとしては、例えば、前述したセキュリティシステムの警備モードがある。この警備モードにおいては、ファンクション操作により当該警備モードを解除しなければ、通常の認証等の処理を行うことができない。また、別の例としては、出勤や退社の時間帯において、出退勤の記録のみを行う動作モードも挙げられる。
【００４５】
実施の形態２．
図４は、この発明の実施の形態２に係るものである。前述した実施の形態１は、タグ検出範囲より広い人感センサ検出範囲を有する人感センサによりリーダへと接近する人物が検出されてから、ファンクション操作優先時間が経過するまでの間は、タグ検出範囲内にスマートタグが入ってもこのスマートタグの情報の読み取りを行わないようにして、ファンクション操作の受け付けを優先するものであった。これに対し、ここで説明する実施の形態２は、人感センサを設けることなく、スマートタグがタグ検出範囲内に入ったことが検出されてから所定の一定時間の間は、ファンクション操作が行われない限り、スマートタグから読み取った情報に基づく認証結果の履歴データは破棄し、当該履歴データを履歴記憶部に蓄積しないようにしたものである。
【００４６】
すなわち、この実施の形態においては、リーダ５に人感センサ８は設けられていない。よって、実施の形態１の図１において示されていたような人感センサ検出範囲７も形成されていない。従って、ファンクション操作を行うためにリーダ５へと接近する人物２（ファンクション操作者）は、まず、タグ検出範囲６内に入ることになる。そして、このファンクション操作者が携行するスマートタグ４がタグ検出範囲６内に入り、リーダ５の受信部９によりこのスマートタグ４が検出される。その後、ファンクション操作者は、リーダ５のファンクション操作部１３においてファンクション操作を行うことになる。
【００４７】
履歴記憶部１５は、受信部９によりスマートタグ４がタグ検出範囲６内に入ったことが検出されてから、所定の一定時間であるファンクション操作優先時間が経過するまでの間は、スマートタグ４から読み取った情報に基づく認証結果や電気錠制御部１２による電気錠の施解錠動作の制御状況の履歴の蓄積を行わず、これらの履歴データを破棄する。そして、スマートタグ４が検出されてからファンクション操作優先時間が経過すると、履歴記憶部１５は、履歴データの蓄積を行うようになる。このファンクション操作優先時間は、概ね数秒程度に設定する。
なお、他の構成については実施の形態１と同様であって、その詳細説明は省略する。
【００４８】
この実施の形態にあっては、入退室管理システムは、図４に示す一連のフローに従って動作する。
まず、ステップＳ１１において、リーダ５のファンクション処理部１４は、ファンクション操作部１３に対してファンクション操作がなされていないか否かについて確認する。このステップＳ１１において、ファンクション操作部１３に対してファンクション操作がなされたことが確認された場合には、ステップＳ１２へと移る。このステップＳ１２においては、ファンクション処理部１４は、ステップＳ１１において確認したファンクション操作部１３に対して行われた操作内容に対応する所定のファンクション処理を行う。そして、この後は、ステップＳ１３へと進む。
【００４９】
一方、ステップＳ１１において、ファンクション操作部１３に対してファンクション操作がなされていないことが確認された場合には、ステップＳ１２を経ずに、直接ステップＳ１３へと進む。このステップＳ１３においては、リーダ５の受信部９は、タグ検出範囲６内にあるスマートタグ４から送信される認証情報の読み取りを行う。なお、前述したように、ファンクション操作者である人物２がリーダ５のファンクション操作部１３において操作する前に、この人物２が携行するスマートタグ４はタグ検出範囲６内へと入っている。スマートタグ４がタグ検出範囲６内に入ったことは、受信部９により検出される。そして、リーダ５は、タグ検出範囲６内にスマートタグ４が入ったことが検出された時点からの経過時間を計測し始めている。
【００５０】
ステップＳ１３でスマートタグ４から認証情報を読み出した後は、ステップＳ１４へと進む。このステップＳ１４においては、リーダ５の認証部１１は、先のステップＳ１３で読み出したスマートタグ４の認証情報に基づいて認証を行う。この認証は、読み出したスマートタグ４の認証情報とタグ情報記憶部１０に記憶された登録タグの認証情報とを照合することにより行われる。そして、この認証の結果が成功（ＯＫ）であるか失敗（ＮＧ）であるかの判定を行う。
【００５１】
このステップＳ１４の判定の結果、認証ＯＫであった場合にはステップＳ１５へと進む。このステップＳ１５においては、リーダ５の電気錠制御部１２は、扉３の電気錠へと解錠許可信号を出力する。この解錠許可信号を受けた電気錠は解錠され、扉３を開くことが可能となる。そして、この後、ステップＳ１６へと進む。一方、ステップＳ１４の判定の結果、認証ＮＧであった場合には、ステップＳ１５を飛ばしてステップＳ１６へと進む。
【００５２】
ステップＳ１６においては、リーダ５の履歴記憶部１５は、ファンクション操作なし（ステップＳ１１でＮｏとなりステップＳ１２を経由していない）であって、かつ、現在ファンクション操作優先時間中である（スマートタグ４が検出された時点からの経過時間がファンクション操作優先時間より短い）か否かについて確認を行う。そして、このステップＳ１６において、ファンクション操作なし、かつ、ファンクション操作優先時間中であることが確認された場合には、ステップＳ１７へと進む。
【００５３】
このステップＳ１７においては、リーダ５の履歴記憶部１５は、先のステップＳ１４における認証結果やステップＳ１５における電気錠に対する信号出力等の履歴データは破棄され、履歴記憶部１５にこれらの履歴データは蓄積されない。そして、ステップＳ１９へと至り一連の動作フローは終了する。
【００５４】
一方、ステップＳ１６において、ファンクション操作あり、又は、ファンクション操作優先時間中でないことが確認された場合には、ステップＳ１８へと進む。このステップＳ１８においては、リーダ５の履歴記憶部１５は、先のステップＳ１２におけるファンクション処理、ステップＳ１４における認証結果やステップＳ１５における電気錠に対する信号出力等の履歴データを蓄積する。そして、ステップＳ１９へと至り一連の動作フローは終了する。
【００５５】
以上のように構成された入退室管理システムは、タグ検出範囲６内にスマートタグ４が入ったことが検出されてからファンクション操作優先時間が経過するまでの間は、ファンクション操作が行われない限り、履歴データの蓄積を行わない。従って、ファンクション操作の前に人物２がリーダ５に接近した際のスマートタグ４の読み取りによる不要な履歴が意図せずに記録されてしまうことがない。また、このため、限られた履歴記憶領域を有効に活用することが可能である。
【符号の説明】
【００５６】
１    区画
２    人物
３    扉
４    スマートタグ
５    リーダ
６    タグ検出範囲
７    人感センサ検出範囲
８    人感センサ
９    受信部
１０    タグ情報記憶部
１１    認証部
１２    電気錠制御部
１３    ファンクション操作部
１４    ファンクション処理部
１５    履歴記憶部
【図１】
0005387511.tif 000002
【図２】
0005387511.tif 000003
【図３】
0005387511.tif 000004
【図４】
0005387511.tif 000005
【図５】
0005387511.tif 000006